(57)【要約】【課題】帯域分波器を用いて先ず周波数領域を大きく分け、しかる後スイッチ素子を用いて各周波数の経路を切り替える構成を採った場合、スイッチ素子を多く必要とするとともに、各経路での信号の減衰が大きくなる。【解決手段】トリプルバンドＧＳＭシステムおよびＵＭＴＳシステムのデュアルモード対応の場合において、経路切り替え回路２０による経路切り替え時に、９０度位相回転回路４０による作用によって経路切り替え回路２０側の周波数成分が経路切り替え回路３０側へ供給されることを阻止する。これにより、Ｆ２／Ｆ３送受信系の経路側とＦ１／ＵＭＴＳ送受信系の経路側とのアイソレーションを確保して相互の影響を低減し、トリプルバンドおよびデュアルモードの切り替えを低損失、低消費および小規模な回路構成にて実現する。【選択図】        図１
2005020381.tif 000002
【特許請求の範囲】
【請求項１】
アンテナに接続されるアンテナ端子と複数の周波数に対応した第１の経路群との間に接続された複数のスイッチ素子を有し、第１通信方式により伝送される信号を送信または受信するときに、前記複数のスイッチ素子のうちで前記信号の周波数に対応するスイッチ素子を閉とすることにより送信経路または受信経路を選択する第１の経路切り替え手段と、
帯域分波器を有し、前記第１通信方式により伝送され、前記信号の周波数とは異なる周波数を有した信号と、前記第１通信方式により伝送される信号とは異なる周波数を有した第２通信方式により伝送される信号とを前記帯域分波器によって振り分ける第２の経路切り替え手段と、
一端が前記アンテナ端子に接続され、他端が前記帯域分波器の入出力端に接続され、前記第１の経路切り替え手段に供給される周波数成分に対して９０度の位相回転を与えるとともに、前記第１通信方式により伝送される信号および前記第２通信方式により伝送される信号の高調波成分に対して減衰特性を示す位相回転手段と
を備えたことを特徴とするアンテナ切り替え回路。
【請求項２】
前記位相回転手段は、
一端が前記アンテナ端子に接続され、他端が前記帯域分波器の入出力端に接続されたインダクタと、
前記インダクタの一端と基準電位ノードとの間に接続された第１のコンデンサと、
前記インダクタの他端と前記基準電位ノードとの間に接続された第２のコンデンサと、
前記第１通信方式により伝送される信号を送信または受信するときに前記インダクタの他端をコンデンサを介して接地するスイッチ手段と
を含むことを特徴とする請求項１記載のアンテナ切り替え回路。
【請求項３】
アンテナと、第１通信方式に対応して設けられた第１の送受信回路と、前記第１通信方式とは異なる第２通信方式に対応して設けられ、送信と受信とを切り替える送受切り替え手段を含む第２の送受信回路と、前記第１，第２の送受信回路のいずれか一方を選択して前記アンテナに接続するアンテナ切り替え回路とを具備し、
前記アンテナ切り替え回路が、
前記第１の送受信回路が選択され前記第１通信方式において信号が送信または受信されるときに、当該信号の周波数に対応するスイッチ素子を閉とすることによって送信経路または受信経路を選択する第１の経路切り替え手段と、
前記第２の送受信回路が選択されたときに、前記第１通信方式により伝送される信号であって、前記第１の経路切り替え手段へ供給される信号の周波数とは異なる周波数を有した信号と、前記第１通信方式により伝送される信号の周波数とは異なる周波数を有した前記第２通信方式により伝送される信号とを帯域分波器によって振り分ける第２の経路切り替え手段と、
一端が前記アンテナ端子に接続され、他端が前記帯域分波器の入出力端に接続され、前記第１の経路切り替え手段に供給される周波数成分に対して９０度の位相回転を与えるとともに、前記第１通信方式により伝送される信号および前記第２通信方式により伝送される信号の高調波成分に対して減衰特性を示す位相回転手段とを有する
ことを特徴とする無線通信装置。
【発明の詳細な説明】
【０００１】
【発明の属する技術分野】
本発明は、アンテナ切り替え回路およびこれを用いた無線通信装置に関し、特にマルチバンド対応のアンテナ切り替え回路およびこれを用いた携帯電話等の移動無線通信装置に関する。
【０００２】
【従来の技術】
近年、携帯電話やＰＤＡ（Ｐｅｒｓｏｎａｌ  Ｄｉｇｉｔａｌ  Ａｓｓｉｓｔａｎｔｓ）に代表される移動無線通信端末（装置）においては、低消費電力化、小型・軽量化に加え、マルチバンド化、マルチモード化の実現が不可避となっている。それに伴って、アンテナ切り替え回路においても、複数の経路の切り替えおよび各経路での損失の低減が強く求められている。
【０００３】
携帯電話等の移動無線通信端末で使われているアンテナ切り替え回路では、マルチバンドとして３つの周波数Ｆ１，Ｆ２，Ｆ３（ただし、Ｆ１≪Ｆ２＜Ｆ３）を使用する場合を例に挙げると、従来、図５に示すように、アンテナ端子１０１に直接接続された帯域分波器１０２を用いて使用する周波数領域を大きく２つ、即ち周波数Ｆ１と周波数Ｆ２／Ｆ３とに分け、その後に複数のスイッチ素子１０３〜１０５を用いて各周波数の経路を切り替えるようにしている（例えば、非特許文献１参照）。
【０００４】
具体的には、スイッチ素子１０３は、周波数Ｆ１について受信側（ＲＸ）の経路と送信側（ＴＸ）の経路との切り替えを担う。周波数Ｆ１のＴＸ側の経路には低域濾波器（ローパスフィルタ；ＬＰＦ）１０６が挿入されている。スイッチ素子１０４は、周波数Ｆ２／Ｆ３について送信側の経路と受信側の経路との切り替えを担う。周波数Ｆ２／Ｆ３のＴＸ側の経路にはローパスフィルタ１０７が挿入されている。スイッチ素子１０５は、受信側について周波数Ｆ２の経路と周波数Ｆ３の経路との切り替えを担う。
【０００５】
【非特許文献１】
“Ｃｈｉｐ  Ｍｕｌｔｉｌａｙｅｒ  Ａｎｔｅｎｎａ  ＳｗｉｔｃｈＭｏｄｕｌｅ  ｆｏｒ  Ｔｒｉｐｌｅ  Ｂａｎｄ  Ｐｈｏｎｅ（ＥＧＳＭ／ＤＣＳ／ＰＣＳ）”ＨＩＴＡＣＨＩ  ＭＥＴＡＬＳ［平成１４年３月１２日検索］、インターネット＜ＵＲＬ：ｈｔｔｐ：／／ｗｗｗ．ｈｉｔａｃｈｉ−ｍｅｔａｌｓ．ｃｏ．ｊｐ／ｐｒｏｄｕｃｔ／ｉｓｃ２００１／ａｓｍ／ｓｈｓｌ０９０ｔ．ｐｄｆ＞
【０００６】
【発明が解決しようとする課題】
上述したように、従来例に係るスイッチ切り替え回路では、帯域分波器１０２を用いて先ず周波数領域を大きく分け、しかる後スイッチ素子１０３〜１０５を用いて各周波数の経路を切り替える構成を採っていることから、スイッチ素子を多く必要とし、例えば周波数Ｆ２／Ｆ３の受信側については帯域分波器１０２、スイッチ素子１０４およびスイッチ素子１０５を信号が通ることになるため、それぞれの素子での損失が加算された形となり、各経路での信号の減衰が大きくなるという問題があった。
【０００７】
また、使用する周波数の種類が多くなると、それに伴って経路を切り替えるスイッチ素子の数が増えるため、当該スイッチ素子として例えばＰＩＮ（ｐｏｓｉｔｉｖｅ  ｉｎｔｒｉｎｓｉｃ  ｎｅｇａｔｉｖｅ  ｄｉｏｄｅ）ダイオードを用いる場合には消費電力が大きくなるという問題があった。
【０００８】
本発明は、上記課題に鑑みてなされたものであり、その目的とするところは、複数存在する経路での損失の低減を可能としたアンテナ切り替え回路およびこれを用いた無線通信装置を提供することにある。
【０００９】
【課題を解決するための手段】
本発明によるアンテナ切り替え回路は、アンテナに接続されるアンテナ端子と複数の周波数に対応した第１の経路群との間に接続された複数のスイッチ素子を有し、第１通信方式により伝送される信号を送信または受信するときに、前記複数のスイッチ素子のうちで前記信号の周波数に対応するスイッチ素子を閉とすることにより送信経路または受信経路を選択する第１の経路切り替え手段と、帯域分波器を有し、前記第１通信方式により伝送され、前記信号の周波数とは異なる周波数を有した信号と、前記第１通信方式により伝送される信号とは異なる周波数を有した第２通信方式により伝送される信号とを前記帯域分波器によって振り分ける第２の経路切り替え手段と、一端が前記アンテナ端子に接続され、他端が前記帯域分波器の入出力端に接続され、前記第１の経路切り替え手段に供給される周波数成分に対して９０度の位相回転を与えるとともに、前記第１通信方式により伝送される信号および前記第２通信方式により伝送される信号の高調波成分に対して減衰特性を示す位相回転手段とを備えた構成となっている。このアンテナ切り替え回路は、マルチバンド対応の携帯電話やＰＤＡに代表される無線通信装置において、マルチバンドに対応して設けられた複数の送受信回路の何れか１つを選択してアンテナに接続する切り替え回路として用いられる。
【００１０】
上記構成のアンテナ切り替え回路またはこれを用いた無線通信装置において、第１の経路切り替え手段は、第１通信方式により伝送される信号の送信経路または受信経路をスイッチ素子のみによって選択する。位相回転手段は、第１の経路切り替え手段に供給される周波数成分に対して９０度の位相回転を与えるとともに、前記第１通信方式により伝送される信号および前記第２通信方式により伝送される信号の高調波成分に対して減衰特性を示し、第１の経路切り替え手段側の周波数成分が第２の経路切り替え手段側へ供給されるのを阻止することで、第１の経路切り替え手段側と第２の経路切り替え手段側とのアイソレーションを確保する。第２の経路切り替え手段は、第１通信方式により伝送され、前記信号の周波数とは異なる周波数を有した信号と、第２通信方式により伝送される信号とを帯域分波器によって振り分ける。
【００１１】
【発明の実施の形態】
以下、本発明の実施の形態について図面を参照して詳細に説明する。
【００１２】
図１は、本発明の一実施形態に係るアンテナ切り替え回路の構成例を示す回路図である。本実施形態では、第１通信方式としてのトリプルバンドＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）システムおよび第２通信方式としてのＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムのデュアルモード対応携帯電話を想定している。
【００１３】
また、ＧＳＭシステムでのマルチバンドとして、周波数Ｆ１，Ｆ２，Ｆ３（ただし、Ｆ１≪Ｆ２＜Ｆ３）の３波の周波数を使用したＴＤＭＡ（Ｔｉｍｅ  Ｄｉｖｉｓｉｏｎ  Ｍｕｌｔｉｐｌｅ  Ａｃｃｅｓｓ）動作を行い、ＵＭＴＳシステムでのデュアルモードでは、ＦＤＤ（ｆｒｅｑｕｅｎｃｙ  ｄｉｖｉｓｉｏｎ  ｄｕｐｌｅｘ）動作を行うＧＳＭ／ＵＭＴＳデュアルモードを想定している。一例として、Ｆ１＝９００ＭＨｚ、Ｆ２＝１８００ＭＨｚ、Ｆ３＝１９００ＭＨｚとする。また、ＵＭＴＳシステムでは送信と受信が同時に行われる。一例として、送信周波数を１９５０ＭＨｚ、受信周波数を２１５０ＭＨｚとする。
【００１４】
図１において、本実施形態に係るアンテナ切り替え回路は、アンテナ（図示せず）に接続されるアンテナ端子１１、周波数Ｆ２／Ｆ３の各送信系（ＴＸ）に接続される送信端子１２、周波数Ｆ１の送信系に接続される送信端子１３、周波数Ｆ１の受信系（ＲＸ）に接続される受信端子１４、周波数Ｆ２，Ｆ３の各受信系に接続される受信端子１５，１６、ＵＭＴＳの送受信系に接続される送受信端子１７を有するとともに、Ｆ２／Ｆ３送受信系の経路切り替え回路２０、Ｆ１／ＵＭＴＳ送受信系の経路切り替え回路３０および９０度位相回転回路４０を備えた構成となっている。
【００１５】
第１の経路切り替え手段としてのＦ２／Ｆ３送受信系の経路切り替え回路２０は、アンテナ端子１１と送信端子１２との間に直列に接続されたスイッチ素子２１および高調波抑圧フィルタ、例えば低域濾波器（ＬＰＦ）２２と、アンテナ端子１１と受信端子１５との間に接続されたスイッチ素子２３と、アンテナ端子１１と受信端子１６との間に接続されたスイッチ素子２４とを有する構成となっている。
【００１６】
第２の経路切り替え手段としてのＦ１／ＵＭＴＳ送受信系の経路切り替え回路３０は、マルチモードの各周波数に対応した帯域の通過フィルタ、本例では低域濾波器（以下、「ＬＰＦ」と記す）と高域濾波器（以下、「ＨＰＦ」と記す）との組み合わせからなり、ＨＰＦ側端子がＵＭＴＳ送受信端子１７に接続された帯域分波器３１と、この帯域分波器３１のＬＰＦ側端子とＦ１送信端子１３との間に接続されたスイッチ素子３２と、帯域分波器３１のＬＰＦ側端子とＦ１受信端子１４との間に接続されたスイッチ素子３３とを有する構成となっている。
【００１７】
９０度位相回転回路４０は、一端がアンテナ端子１１に接続され、他端が帯域分波器３１の入出力端に接続されたインダクタ４１と、インダクタ４１の一端と基準電位ノードであるグランドとの間に接続されたコンデンサ４２と、インダクタ４１の他端とグランドとの間に接続されたコンデンサ４３と、インダクタ４１の他端とグランドとの間に直列に接続されたスイッチ素子４４およびコンデンサ４５とを有する構成となっている。
【００１８】
ここで、スイッチ素子４４は、周波数Ｆ２，Ｆ３の送信経路を開閉するスイッチ素子４１および受信経路を開閉するスイッチ素子４３，４４に同期して開閉動作を行う。Ｆ２／Ｆ３送受信系の経路切り替え回路２０のスイッチ素子２１，２３，２４、Ｆ１／ＵＭＴＳ送受信系の経路切り替え回路３０のスイッチ素子３２，３３および９０度位相回転回路４０のスイッチ素子４４としては、ＦＥＴやＰＩＮダイオードなどの半導体スイッチを用いることができる。
【００１９】
９０度位相回転回路４０において、インダクタ４１のインダクタンスおよびコンデンサ４２，４３の各キャパシタンスは、周波数Ｆ２およびＦ３に対して位相を９０度回転させ、なおかつ、ＵＭＴＳ経路で使用している送信周波数の高調波成分（送信周波数の２倍若しくは３倍の周波数成分）に対して減衰特性を示す低域濾波器（ＬＰＦ）の特性をも併せ持つような値に設定されている。この９０度位相回転回路４０の入出力特性（入力波形に対する出力波形の位相関係）の一例を図２に、９０度位相回転回路４０の減衰特性の一例を図３にそれぞれ示す。
【００２０】
上記構成の本実施形態に係るアンテナ切り替え回路において、周波数Ｆ２またはＦ３を使用した送信信号は送信端子１２から入力され、スイッチ素子２１，４４をＯＮ（閉）、スイッチ素子２３，２４をＯＦＦ（開）とすることで、ＬＰＦ２２およびスイッチ素子２１を通してアンテナ端子１１へ送出される。この周波数Ｆ２／Ｆ３の送信経路を用いる場合には、スイッチ素子４４をＯＮ状態にすることにより、インダクタ４１およびコンデンサ４２，４３で構成される回路が周波数Ｆ２／Ｆ３に対してその位相を９０度回転させる特性を示して接地され、当該周波数成分に対して高インピーダンスとなるため、Ｆ２／Ｆ３送受信系の経路側とＦ１／ＵＭＴＳ送受信系の経路側とのアイソレーションを確保できる。これにより、Ｆ２／Ｆ３送受信系の経路側へのＦ１／ＵＭＴＳ送受信系の経路側の影響を低減できるとともに、周波数Ｆ２／Ｆ３での送信経路の損失を小さくすることができる。
【００２１】
また、周波数Ｆ２またはＦ３を使用した受信信号はアンテナ端子１１から入力され、スイッチ素子２１をＯＦＦ、スイッチ素子２３または２４とスイッチ素子４４をＯＮとすることで、周波数Ｆ２の受信時にはＯＮ状態にあるスイッチ素子２３により、周波数Ｆ３に受信時にはＯＮ状態にあるスイッチ素子２４によりそれぞれ経路選択され、受信端子１５、１６を通して出力される。この周波数Ｆ２／Ｆ３の受信経路を用いる場合にも、スイッチ素子４４をＯＮ状態にすることにより、Ｆ２／Ｆ３送受信系の経路側とＦ１／ＵＭＴＳ送受信系の経路側とのアイソレーションを確保できるため、Ｆ２／Ｆ３送受信系の経路側へのＦ１／ＵＭＴＳ送受信系の経路側の影響を低減できるとともに、周波数Ｆ２／Ｆ３での送信経路の損失を低減できる。
【００２２】
一方、周波数Ｆ１を使用した送信信号は送信端子１３から入力され、ＯＮ状態にあるスイッチ素子３２を通過した後帯域分波器３１にそのＬＰＦ側端子から入力され、当該帯域分波器３１および９０度位相回転回路４０を通ってアンテナ端子１１から出力される。このとき、スイッチ素子２１，２３，２４，４４は何れもＯＦＦ状態にある。また、９０度位相回転回路４０はＵＭＴＳの送信周波数に対して、その高調波成分を減衰させて通過を阻止するＬＰＦとして機能しているが、送信周波数Ｆ１に対しては通過域となる。この送信経路における損失は主に帯域分波器３１での損失となり、当該帯域分波器３１の損失は極めて少ないため、周波数Ｆ１での送信経路の損失を低減できる。
【００２３】
逆に、周波数Ｆ１を使用した受信信号はアンテナ端子１１から入力され、９０度位相回転回路４０を通過した後帯域分波器３１によってＬＰＦ側へ分配され、ＯＮ状態にあるスイッチ素子３３および受信端子１４を通して出力される。このときも、スイッチ素子２１，２３，２４，４４は何れもＯＦＦ状態にあり、９０度位相回転回路４０は周波数Ｆ１の受信信号に対しては通過域となる。この受信経路における損失は主に帯域分波器３１での損失となるため、周波数Ｆ１での受信経路の損失を低減できる。
【００２４】
また、ＵＭＴＳの送信信号は送受信端子１７から入力され、さらに帯域分波器３１にそのＨＰＦ側端子から入力され、当該帯域分波器３１および９０度位相回転回路４０を経由してアンテナ端子１１から出力される。このとき、スイッチ素子２１，２３，２４，４４は何れもＯＦＦ状態にある。また、９０度位相回転回路４０はＵＭＴＳ送信周波数に対しては通過域となり、かつ高調波（ＵＭＴＳ周波数の２倍、３倍の周波数）に対しては減衰域となって高調波成分を抑圧することができる。この送信経路における損失は主に帯域分波器３１での損失となり、当該帯域分波器３１の損失は極めて少ないため、ＵＭＴＳの送信周波数での送信経路の損失を低減できる。
【００２５】
逆に、ＵＭＴＳの受信信号はアンテナ端子１１から入力され、９０度位相回転回路４０を通過した後帯域分波器３１によってＨＰＦ側へ分配され、送受信端子１７を通して出力される。このときも、スイッチ素子２１，２３，２４，４４は何れもＯＦＦ状態にあり、９０度位相回転回路４０はＵＭＴＳ受信信号に対して通過域となる。この受信経路における損失は主に帯域分波器３１での損失となるため、ＵＭＴＳの受信周波数での受信経路の損失を低減できる。
【００２６】
上述したように、トリプルバンドＧＳＭシステムおよびＵＭＴＳシステムのデュアルモード対応の場合において、経路切り替え回路２０による経路切り替え時に、９０度位相回転回路４０による作用によって経路切り替え回路２０側の周波数成分が経路切り替え回路３０側へ供給されることを阻止することにより、Ｆ２／Ｆ３送受信系の経路側とＦ１／ＵＭＴＳ送受信系の経路側とのアイソレーションを確保して相互の影響を低減することができるため、トリプルバンドおよびデュアルモードの切り替えを低損失、低消費および小規模な回路構成にて実現できる。
【００２７】
さらに、９０度位相回転回路４０にＵＭＴＳの周波数の高調波成分に対して減衰特性を持たせることにより、ＵＭＴＳの周波数の高調波成分を９０度位相回転回路４０で減衰できるため、後述するＵＭＴＳ用送受信回路において、送信信号と受信信号とを切り替えるデュープレクサ（帯域切り替え器）での通過損失が９０度位相回転回路４０に減衰特性を持たせないときと同じとした場合、当該デュープレクサの構成をＵＭＴＳの周波数の高調波成分を減衰できる分だけ簡略化でき、逆に、デュープレクサの構成が９０度位相回転回路４０に減衰特性を持たせないときと同じとした場合、高調波成分を減衰できる分だけＵＭＴＳの周波数に対する通過損失を低減できる。
【００２８】
ところで、携帯電話やＰＤＡに代表される移動通信端末では、マルチバンド、複合端末、小型、低消費電力に対するニーズが強い。特に、アンテナ切り替え回路においては、シングル・アンテナを前提にマルチバンドを切り替える多経路切り替え回路を低損失、低消費および小型で実現する必要がある。
【００２９】
これに対して、本実施形態に係るアンテナ切り替え回路では、９０度位相回転回路４０を用いてＦ２／Ｆ３送受信系の経路側とＦ１／ＵＭＴＳ送受信系の経路側とのアイソレーションを確保し、また多経路を分離するためにスイッチ素子２１，２３，２４，３２，３３のみならず帯域分波器３１を用いることによって多経路において各経路での低損失を実現している。したがって、本実施形態によれば、マルチバンドを切り替える多経路切り替え回路を、低損失、低消費および小規模な回路構成にて実現できることになる。
【００３０】
また、ある経路において複数のスイッチ素子をシリーズに挿入して経路分離を行う構成を採った場合は、各スイッチ素子での損失が積算されて大きな損失となる。また、スイッチ素子のみで多経路を切り替える構成を採った場合（複数の相互に接続されたスイッチ素子、例えばＦＥＴをＩＣ化する場合）は、相互に接続された複数のスイッチ素子における寄生的な要因（特に、ＯＦＦ状態にあるスイッチ素子）の増加で損失が増加する懸念がある。
【００３１】
ところが、本実施形態に係るアンテナ切り替え回路においては、９０度位相回転回路４０および帯域分波器３１を用いて経路分離を行う構成を採っていることで、各経路途中に挿入されるスイッチ素子の数を低減できるとともに、相互に接続されたスイッチ素子の数を低減でき、ひいてはスイッチ素子における寄生的な要因を低減できるため、低損失で多経路を分離できることになる。
【００３２】
なお、本実施形態では、９０度位相回転回路４０は周波数Ｆ２およびＦ３に対して位相を９０度回転させ、なおかつ、ＵＭＴＳ経路周波数に対してはＬＰＦとして機能するように構成素子の値（インダクタ４１のインダクタンスおよびコンデンサ４２，４３の各キャパシタンス）を設定するとしたが、帯域分波器３１のＬＰＦ側経路で使用される周波数Ｆ１に対してＬＰＦとなるように構成素子（コンデンサ、インダクタの使用数および回路構成は任意）を調整するようにしても良い。この場合、ＵＭＴＳ周波数に対しても通過域とする考慮が必要である。また、ＬＰＦとしてのみならず広くフィルタとして機能させることも可能である。
【００３３】
また、本実施形態では、異なる通信方式として、ＧＳＭシステムおよびＵＭＴＳシステムの２つの通信方式を用いた場合を例に挙げたが、これらの通信方式以外であっても良く、また３つ以上の異なる通信方式を用いた場合にも同様に適用することが可能である。
【００３４】
以上説明した本実施形態に係るアンテナ切り替え回路は、携帯電話やＰＤＡに代表されるマルチモード対応の移動無線通信装置において、アンテナに対する複数の経路の切り替えを行うのに用いて好適なものである。
【００３５】
（適用例）
図４は、移動無線通信装置、例えばトリプルバンドＧＳＭシステムおよびＵＭＴＳシステムのデュアルモード対応携帯電話の要部の構成例を示すブロック図である。
【００３６】
図４から明らかなように、本適用例に係るデュアルモード対応携帯電話は、アンテナ５１、アンテナ切り替え回路５２、ＧＳＭシステムの周波数Ｆ１〜Ｆ３にそれぞれ対応して設けられた送受信回路５３〜５５およびＵＭＴＳシステムの送受信回路５６を具備する構成となっている。アンテナ切り替え回路５２は、アンテナ５１のアンテナ端５１Ａに接続されるアンテナ端子５２１、周波数Ｆ１の受信端子５２２および送信端子５２３、周波数Ｆ２の受信端子５２４および送信端子５２５、周波数Ｆ３の受信端子５２６および送信端子５２７、ならびにＵＭＴＳの送受信端子５２８を備えている。
【００３７】
このアンテナ切り替え回路５２として、先述した実施形態に係るアンテナ切り替え回路が用いられる。ここで、図１との対応関係において、送信端子１３が送信端子５２２に、受信端子１４が受信端子５２３に、送信端子１２が送信端子５２４および送信端子５２６に、受信端子１５が受信端子５２５に、受信端子１６が受信端子５２７に、送受信端子１７が送受信端子５２８にそれぞれ対応している。
【００３８】
そして、送信端子５２２および受信端子５２３には周波数Ｆ１用の送受信回路５３が、送信端子５２４および受信端子５２５には周波数Ｆ２用の送受信回路５４が、送信端子５２６および受信端子５２７には周波数Ｆ３用の送受信回路５５がそれぞれ接続される。さらに、送受信端子５２８にはＵＭＴＳ用の送受信回路５６が接続される。
【００３９】
ＵＭＴＳ用送受信回路５６のフロントエンド部は、送信信号と受信信号とを切り替えるデュープレクサ（帯域切り替え器）５６１と、このデュープレクサ５６１を通して入力される受信信号を増幅する低ノイズアンプ５６２と、送信信号を増幅するパワーアンプ５６３とを有する構成となっている。
【００４０】
先述したように、先の実施形態に係るアンテナ切り替え回路は、トリプルバンドおよびデュアルモードの切り替えを低損失、低消費および小規模の回路構成にて実現できる。したがって、本実施形態に係るアンテナ切り替え回路を上記構成の携帯電話において、そのアンテナ切り替え回路５２として用いることで、携帯電話の低消費電力化、小型・軽量化に大きく寄与できる。
【００４１】
特に、９０度位相回転回路４０（図１参照）がＵＭＴＳの周波数の高調波成分に対して減衰特性を持っており、ＵＭＴＳの周波数の高調波成分を減衰できるため、ＵＭＴＳ用送受信回路５６において、デュープレクサ５６１での通過損失が９０度位相回転回路４０に減衰特性を持たせないときと同じとした場合、当該デュープレクサ５６１の構成をＵＭＴＳの周波数の高調波成分を減衰できる分だけ簡略化でき、逆に、デュープレクサ５６１の構成が９０度位相回転回路４０に減衰特性を持たせないときと同じとした場合、高調波成分を減衰できる分だけＵＭＴＳの周波数に対する通過損失を低減できる。
【００４２】
【発明の効果】
以上説明したように、本発明によれば、位相回転手段を用いて送信経路と受信経路との間のアイソレーションを確保しつつ、スイッチ素子のみならず、帯域分波器を用いて経路切り替えを行うようにしたので、マルチバンドを切り替える多経路切り替え回路を低損失、低消費および小規模な回路構成にて実現できる。
【図面の簡単な説明】
【図１】本発明の一実施形態に係るアンテナ切り替え回路の構成を示す回路図である。
【図２】９０度位相回転回路の入出力特性の一例を示す波形図である。
【図３】９０度位相回転回路の減衰特性の一例を示す特性図である。
【図４】本発明の適用例に係るデュアルモード対応携帯電話の要部の構成を示すブロック図である。
【図５】従来例に係るアンテナ切り替え回路の構成例を示す回路図である。
【符号の説明】
１１…アンテナ端子、２０…Ｆ２／Ｆ３送受信系の経路切り替え回路、３０…Ｆ１／ＵＭＴＳ送受信系の経路切り替え回路、３１…帯域分波器、４０…９０度位相回転回路
【図１】
2005020381.tif 000003
【図２】
2005020381.tif 000004
【図３】
2005020381.tif 000005
【図４】
2005020381.tif 000006
【図５】
2005020381.tif 000007